(57)【要約】【課題】ドレン蒸散フィルタが凝縮器の上面と隙間なく配置され、ドレン水の自己処理能力の大きな空気調和機を提供する。【解決手段】空気調和機は、蒸発器で生成し水溜皿に貯まるドレン水がドレンポンプにより凝縮器の上方に位置する蒸散皿まで送られ滴下され蒸散して自己処理される空気調和機において、上記凝縮器の上面を覆うドレン蒸散フィルタと、上記凝縮器の側面に面する吸水通風部材と、上記蒸散皿の下面に接し、上記ドレン蒸散フィルタを上記凝縮器の上面に均一に押さえ付けるとともに上記ドレン蒸散フィルタを上記吸水通風部材に接するように位置付けるクシ形スペーサと、を備える。【選択図】図１
2007309591.tif 000002
【特許請求の範囲】
【請求項１】
蒸発器で生成し水溜皿に貯まるドレン水がドレンポンプにより凝縮器の上方に位置する蒸散皿まで送られ滴下され蒸散して自己処理される空気調和機において、
上記凝縮器の上面を覆うドレン蒸散フィルタと、
上記凝縮器の側面に面する吸水通風部材と、
上記蒸散皿の下面に接し、上記ドレン蒸散フィルタを上記凝縮器の上面に均一に押さえ付けるとともに上記ドレン蒸散フィルタを上記吸水通風部材に接するように位置付けるクシ形スペーサと、
を備えることを特徴とする空気調和機。
【請求項２】
上記吸水通風部材を上記凝縮器の側面に接するように配置する上側位置決め部材と下側位置決め部材とを備えることを特徴とする請求項１に記載する空気調和機。
【請求項３】
上記吸水通風部材が上記水溜皿の底に接するように配置されていることを特徴とする請求項１または２に記載する空気調和機。
【発明の詳細な説明】
【技術分野】
【０００１】
この発明は、ドレン水を自己処理する空気調和機に関するものである。
【背景技術】
【０００２】
エレベータの乗りカゴ外側の上部など排水する経路の確保が困難な場所に設置する空気調和機には、圧縮された冷媒の熱を放熱する凝縮器と、この液化された冷媒を蒸発させることにより周囲を冷却する蒸発器と、蒸発器および凝縮器の下方に設けられた水溜皿と、凝縮器の上方に設けられ水溜皿から送られたドレン水を受けてこのドレン水を凝縮器の上面に滴下するドレン水滴下装置とが備えられている。
また、厚布状の吸水プラスチック等からなる吸水通風部材が、凝縮器とほぼ同寸法で下縁が水溜皿の上部に位置し、所定空間を設けて風下側に相対し、凝縮器から突出した保持枠で保持されている。また、ドレン水滴下装置の蒸散皿は、その吸水通風部材の上部まで延長され、吸水通風部材の上部位置に複数のドレン水滴下穴部が設けられている。また、ドレン水滴下装置の蒸散皿のドレン水滴下穴部から滴下されるドレン水を凝縮器全面に均一に拡げるために蒸散皿と凝縮器との間にドレン蒸散フィルタが介設されている。
【０００３】
凝縮器は高温の冷媒によりおよそ５０〜６０℃に昇温しているので、その熱によりドレン水が蒸発し、送風機の風力で大気中に蒸散し、通風口から排気ファン等により排出される。蒸散せずに残ったドレン水は水溜皿に導水され、蒸散動作を繰返す。
また、吸水通風部材の風上側に位置するように設けられたドレン水滴下穴部からドレン水の一部が滴下し吸水通風部材の風上側の面を重点的にして滴下する。このようにして吸水通風部材に付着したドレン水は凝縮器によって昇温された送風機による温風で蒸発される（例えば、特許文献１参照）。
【０００４】
【特許文献１】特開平８−３０３８１３号公報（図１４）
【発明の開示】
【発明が解決しようとする課題】
【０００５】
しかし、ドレン蒸散フィルタを凝縮器の上面に蒸散皿だけで押し付けているので、保守作業でドレン蒸散フィルタを交換するときに凝縮器の上面とドレン蒸散フィルタとの間に部分的に隙間が残ることがあり、ドレン水が均一に凝縮器に落下せずに蒸散効率が低下してドレン水の生成量が多い季節に空気調和機をフルに稼動できなくなるという問題がある。
【０００６】
この発明の目的は、ドレン蒸散フィルタが凝縮器の上面と隙間なく配置され、ドレン水の自己処理能力の大きな空気調和機を提供することである。
【課題を解決するための手段】
【０００７】
この発明に係わる空気調和機は、蒸発器で生成し水溜皿に貯まるドレン水がドレンポンプにより凝縮器の上方に位置する蒸散皿まで送られ滴下され蒸散して自己処理される空気調和機において、上記凝縮器の上面を覆うドレン蒸散フィルタと、上記凝縮器の側面に面する吸水通風部材と、上記蒸散皿の下面に接し、上記ドレン蒸散フィルタを上記凝縮器の上面に均一に押さえ付けるとともに上記ドレン蒸散フィルタを上記吸水通風部材に接するように位置付けるクシ形スペーサと、を備える。
【発明の効果】
【０００８】
この発明に係わる空気調和機の効果は、吸水通風部材がドレン蒸散フィルタに幅広く接すると、ドレン蒸散フィルタを浸透するドレン水が吸水通風部材に多く浸透し、ドレン水の蒸散量を多くすることができる。
【発明を実施するための最良の形態】
【０００９】
図１は、この発明に係わる空気調和機のドレン水の自己処理に係わる部分の概略図である。
この発明に係わる空気調和機１は、図示しない冷凍サイクルの蒸発器で生成するドレン水を外部に排出して処理することが困難であり自己処理する必要のある場所、例えば、ビル内に設置されたエレベータのかご室外側の頂部などに設置される。
この空気調和機１は、冷媒ガスを圧縮する図示しない圧縮機、圧縮された冷媒ガスを放熱して液化する凝縮器２および液化された冷媒を蒸発させる図示しない蒸発器が図示しない冷媒管路で接続された冷凍サイクルを有している。
【００１０】
そして、図１に示すように、凝縮器２および蒸発器の下方に水溜皿５が配設されている。この水溜皿５の隅にドレン水を凝縮器２の上方に送るためのドレンポンプ１０とドレンポンプ１０の発停を制御するためにドレン水の水位を検知する水位計１１とが配置されている。
また、凝縮器２の上方にはドレンポンプ１０から送られたドレン水を一旦受けてから凝縮器２の上方から滴下するドレン水滴下装置１３が備えられている。ドレンポンプ１０とドレン水滴下装置１３とがドレンホース１４で連通されている。そして、凝縮器２の上方には、凝縮器２の上面に接し、ドレン水を凝縮器２の上面全面に亘って拡げるドレン蒸散フィルタ１５が配置される。
【００１１】
ドレン水滴下装置１３は、ドレンホース１４を経由して送られてくるドレン水を凝縮器２の上面全面に亘って分配する蒸散皿１６と、蒸散皿１６の下面に接し、凝縮器２の上面全面を覆うドレン蒸散フィルタ１５を均一に凝縮器２の上面に押さえ付けるクシ形スペーサ１７から構成されている。
蒸散皿１６は、図２に示すように、ドレン水を滴下するドレン水滴下穴部２１が設けられ、ドレンホース１４から送られたドレン水がこのドレン水滴下穴部２１を通ってドレン蒸散フィルタ１５上に滴下する。また、蒸散皿１６には、吸水通風部材の上部の位置決めを行うための上側位置決め部材２２が設けられている。
クシ形スペーサ１７は、図３に示すように、多数のクシ歯１７ａを有している。
【００１２】
また、この空気調和機１は、凝縮器２の風下側に、凝縮器２とほぼ同寸法の厚布状の吸水プラスチック等からなる吸水通風部材１８を備える。この吸水通風部材１８は、下縁が水溜皿５の底に接し、上縁がドレン蒸散フィルタ１５に接し、水溜皿５に固定される下側位置決め部材２３に下部を内挿することにより位置決めされている。また、蒸散皿１６の底面から下方に延びた上側位置決め部材２２に上部を内挿することにより位置決めされている。
そして、ドレン蒸散フィルタを１５上からクシ形スペーサ１７で押さえ付けてあるので、ドレン蒸散フィルタ１５の側面に吸水通風部材１８の上縁が全面に亘って接している。
なお、送風機７は、凝縮器２から吸水通風部材１８に風が流れるように風を起こしている。
【００１３】
次に、ドレン水が生成し蒸散されるまでの様子を説明する。
蒸発器では、液化された冷媒を蒸発させることにより周囲を冷却するが、周囲の冷却に伴って周囲の空気に含まれる水分子が凝結して水滴となりドレン水として下方に流れ落ちる。このドレン水は、水溜皿５で受けられ、ドレンポンプ１０により凝縮器２の上方に配置された蒸散皿１６まで送られる。そして、蒸散皿１６からドレン水滴下穴部２１を通ってドレン蒸散フィルタ１５上に滴下される。このドレン蒸散フィルタ１５に滴下されたドレン水は、一方は凝縮器２の上面にまで浸透し、凝縮器２の表面で蒸散される。他方、吸水通風部材１８まで浸透し、吸水通風部材１８内で蒸散される。
なお、吸水通風部材１８には、毛細血管現象により水溜皿５から直接ドレン水を吸い上げるので、このドレン水も吸水通風部材１８内で蒸散される。このように吸水通風部材１８の下縁が水溜皿５の底に接しており、毛細血管現象により水溜皿５から直接吸い上げるので、ドレン水が少量でドレンポンプ１０から吸い上げることができないときでもドレン水を蒸散させることができる。
【００１４】
このように吸水通風部材１８がドレン蒸散フィルタ１５に幅広く接すると、ドレン蒸散フィルタ１５を浸透するドレン水が吸水通風部材１８に多く浸透し、ドレン水の蒸散量を多くすることができる。一方、このクシ形スペーサ１７がないときには、ドレン蒸散フィルタ１５と吸水通風部材１８との間に隙間が存在し、ドレン水がドレン蒸散フィルタ１５から吸水通風部材１８にスムーズに浸透せず、ドレン水の蒸散量が少なくなり、ドレン水の生成量が多い時期に空気調和機１を一時停止するおそれがある。
【００１５】
また、吸水通風部材１８を下側位置決め部材２３と上側位置決め部材２２とで位置決めすることにより、吸水通風部材１８が凝縮器２の側面に接触するので、凝縮器２から吸水通風部材１８に熱が伝導し吸水通風部材１８の温度が大きく上昇し、吸水通風部材１８を浸透するドレン水の蒸散速度が速くなり、ドレン水の蒸散量が多くなる。一方、吸水通風部材１８を凝縮器２から離間して配置すると、凝縮器２から吸水通風部材１８への熱伝導が極めて小さくなり、吸水通風部材１８の温度の上昇が小さいので、吸水通風部材１８を浸透するドレン水の蒸散速度が遅くなり、ドレン水の蒸散量が少ない。
【図面の簡単な説明】
【００１６】
【図１】この発明に係わる空気調和機のドレン水の自己処理に係わる部分の概略図である。
【図２】この発明に係わる蒸散皿の平面図である。
【図３】この発明に係わるクシ形スペーサの平面図である。
【符号の説明】
【００１７】
１  空気調和機、２  凝縮器、５  水溜皿、７  送風機、１０  ドレンポンプ、１１  水位計、１３  ドレン水滴下装置、１４  ドレンホース、１５  ドレン蒸散フィルタ、１６  蒸散皿、１７  クシ形スペーサ、１７ａ  （クシ形スペーサの）クシ歯、１８  吸水通風部材、２１  ドレン水滴下穴部、２２  上側位置決め部材、２３  下側位置決め部材。
【図１】
2007309591.tif 000003
【図２】
2007309591.tif 000004
【図３】
2007309591.tif 000005